(57)【要約】      （修正有）【課題】確実に両足をタッチ板に係止でき、安定してスタートがきれ、しかも安価に製造できる背泳ぎ用スタート練習補助具を開発・提供する。  【解決手段】背泳ぎ用スタート補助具であって、耐水性素材を用いた細長いプレート板１を設け、プレート板の裏面には、裏面防滑シートを設け、プレート板の表面は、長手方向の一端部をテーパ状に形成し、テーパ状部には、テーパ部防滑素材３を設け、プレート板の長手方向下端部には、錘部材４を設け、プレート板の両端部付近には、それぞれベルト差込穴Ｘ、Ｘ´を設け、これら穴には、プレート板をスタート台に係止するための係止・調節ベルト５、５´を設けたことを特徴とする。【選択図】図１
0003207110.tif 000002
【実用新案登録請求の範囲】
【請求項１】
背泳ぎ用スタート補助具であって、
耐水性素材を用いた細長いプレート板（１）を設け、
該プレート板（１）の裏面（Ａ）には、裏面防滑シート（２）を設け、
該プレート板（１）の表面（Ｂ）は、長手方向の一端部をテーパ状に形成し、
該テーパ状部には、前テーパ面にテーパ部防滑素材（３）を設け、
該プレート板（１）の長手方向下端部には、錘部材（４）を設け、
前記プレート板（１）の両端部付近には、それぞれベルト差込穴（Ｘ）（Ｘ´）を設け、
これら穴（Ｘ）（Ｘ´）には、係止・調節ベルト（５）（５´）を設けた
ことを特徴とする背泳ぎ用スタート簡易補助具。
【考案の詳細な説明】
【技術分野】
【０００１】
この考案は、背泳ぎ用スタート練習補助具に関するものである。
【背景技術】
【０００２】
従来より、プールでの水泳における背泳ぎのスタートは、出発合図がなされる前、競技者はスタート台に向き、両手でスターティンググリップを持っていなければならず、また、両足はプールの側壁面に掛けてなくてはならないものであった。
【０００３】
しかし、プールの側壁面は、泳者の水飛沫等により水が付着しておりすべりやすく、そのため近年、国際水泳連盟により競泳競技規則が改定され、背泳ぎのスタートを補助する器具（バックストロークレッジ、以下バックレッジ）の使用が認められた。
【０００４】
このバックレッジを使用してスタートする場合は、両足のつま先が、タッチ板に触れていないと「指定の距離を泳いでいない」とみなされ失格となる。
【０００５】
また、バックストロークレッジを使用する場合は、両足のつま先はタッチ板に接していなければならないと規定されている。
【０００６】
そして、このようなバックストロークレッジは、背泳ぎ用スタート補助装置として国内でも開示されている。例えば、非特許文献１のように。
【先行技術文献】
【特許文献】
【０００７】
【非特許文献１】カタログ（商品名：セイコーバックストロークレッジＢＳＬ−１１０）（セイコータイムシステム株式会社製）〔http://www.seiko-sts.co.jp/products/sports/cat01/img/001/backstorke_ladge.pdf〕
【０００８】
しかし、この装置は専用メーカーのスタート台とセットとなっており、装着場所も限られており、従って、上記専用メーカーのスタート台でなければ設置できず、汎用性に乏しく、部品点数も多く高価であり、管理、調節、移動が煩雑であるため、学生等が安易に練習に使用できるようなものではなかった。
【考案の概要】
【考案が解決しようとする課題】
【０００９】
この考案は、確実に両足がタッチ板に確実に係止でき、安定してスタートがきれ、しかも安価に製造できる背泳ぎ用スタート練習補助具を開発・提供する事にある。
【課題を解決するための手段】
【００１０】
この考案の背泳ぎ用スタート練習補助具は、
背泳ぎ用スタート補助具であって、
耐水性素材を用いた細長いプレート板を設け、
該プレート板の裏面には、裏面防滑シートを設け、
該プレート板の表面は、長手方向の一端部をテーパ状に形成し、
該テーパ状部には、前テーパ面に防滑素材を設け、
該プレート板の長手方向下端部には、錘部材を設け、
前記プレート板の両端部付近には、それぞれベルト差込穴を設け、
これら穴には、係止・調節ベルトを設けた
ことを特徴とする。
【考案の効果】
【００１１】
この考案によると、プレート板（１）の上面付近に防滑素材を設けることにより、水で濡れていても滑り止めとなり、しかも素材が防滑塗料であることにより、素足の踏み付け部（前足部）には皮膚感覚で十分認識でき、踏み付け部の先には指があるため、両足のそれぞれ指部分は自然にプール側壁面（競技で、実際のバックストロークレッジを使用する際にはプレート板）に接触するためルール違反をしない練習ができる。
【００１２】
また、従来品に比べ簡易な構造であり、ベルトを引っ掛ける場所があればどこにでも装着でき、専用のスタート台でなくても引っ掛けることは可能であり、しかも、コンパクトで持ち運びに便利であり極めて有益なる効果を奏する。
【図面の簡単な説明】
【００１３】
【図１】この考案の一実施例を示すプレート本体の一部を切り欠いた正面図である。
【図２】図１中のａ−ａ拡大断面図である。
【図３】図１中のｂ−ｂ拡大断面図である。
【図４】この考案の使用状態を示す説明図である。
【考案を実施するための形態】
【００１４】
以下、この考案について詳細に説明する。尚、この考案においては、以下の記述に限定されるものではなく、この考案の要旨を逸脱しない範囲においては適宜変更可能である。
【実施例】
【００１５】
そこで、この考案の一実施例を図１〜図２に基づいて詳述すると、背泳ぎ用スタート補助具であって、耐水性素材を用いた細長いプレート板（１）を設け、該プレート板（１）の裏面（Ａ）には、裏面防滑シート（２）を設け、該プレート板（１）の表面（Ｂ）は、長手方向の一端部をテーパ状に形成し、該テーパ状部には、前テーパ面に滑素材（３）を設け、該プレート板（１）の長手方向下端部には、錘部材（４）を設け、前記プレート板（１）の両端部付近には、それぞれベルト差込穴（Ｘ）（Ｘ´）を設け、これら穴（Ｘ）（Ｘ´）には、係止・調節ベルト（５）（５´）を設けたことを特徴とする背泳ぎ用スタート練習補助具から構成される。
【００１６】
なお、前記プレート板（１）の素材は、アクリル樹脂を素材としており、安価で堅牢である。
【００１７】
また、前記プレート板（１）の裏面防滑シート（２）は、ゴム製のシートでありプールの側壁面に垂れ下げても移動しないよう構成されている。
【００１８】
そして、前記テ―パ部の防滑素材（３）は、床面等に塗布する滑り止めの塗料である。
【００１９】
さらに、プレート板（１）は、プール水面が波立つことにより、浮かないように錘部材（４）を設けて揺れないようにしっかりと垂下させるものである。
【００２０】
係止・調節ベルト（５，５´）のベルトは、一例を述べると、２．５ｃｍ幅程度に編組したものであり、前記プレート板（１）の両端部付近にそれぞれ設け、これら各ベルトには、バックル（６、６´）、バックル（６ａ、６ａ´）を設ける事により長さ調節が可能であり、また、両ベルト（５，５´）を接続することもでき、さらに緩み止金具（７，７´）を設けることのよりベルトの緩みを防止することが可能である。
【産業上の利用可能性】
【００２１】
この考案の背泳ぎ用スタート練習補助具の技術を確立し、実施することにより、産業上利用できるものである。
【符号の説明】
【００２２】
１  プレート板
２  裏面防滑シート
３  防滑素材
４  錘部材
５、５´係止・調節ベルト
６、６´バックル
６、６ａ´バックル
７，７´緩み止金具
Ｘ、Ｘ´  差込穴
Ａ  裏面
Ｂ  表面
【図１】
0003207110.tif 000003
【図２】
0003207110.tif 000004
【図３】
0003207110.tif 000005
【図４】
0003207110.tif 000006